(57)【要約】【課題】  トイレや厨房や病室などにおける、除菌、消臭、芳香を目的とするスプレー作動装置は、赤外線センサーを使って、人の出入りを検知して、除菌、消臭、芳香効果がある液体を噴霧するスプレー作動装置が主流であった。しかし、このような装置は電子回路を必要とし、構成が複雑で、故障やコストが高くなる要因であった。【解決手段】  この課題を解決する手段はつぎの通りである。  即ち、スプレー缶を収納し、スプレー缶のボタンをドアー開閉時に押し込む梃子リンクを回転支持した筐体を設け、この筐体をドアーに引っ掛けて係止することを特徴とするスプレー装置である。【選択図】図１
2018083629.tif 000002
【特許請求の範囲】
【請求項１】
スプレー缶を収納し、スプレー缶のボタンをドアーの開閉時に押し込む梃子リンクを回転支持した筐体を設けたことを特徴とするスプレー作動装置。
【請求項２】
筐体をドアーに引っ掛けて係止することを特徴とする請求項１のスプレー作動装置。
【発明の詳細な説明】
【技術分野】
【０００１】  本発明は、トイレや厨房や病室などの室内における除菌や消臭や芳香を目的とするスプレー作動装置に関するものである。
【背景技術】
【０００２】  トイレや厨房や病室などの室内における除菌や消臭や芳香を目的とするスプレーの作動装置に関する従来例は特開２００６−３２６５１３に示されているように、赤外線センサーを使って、人の出入りを検知して、電子回路によって、除菌、消臭、芳香効果のある液体の入ったスプレーのボタンを作動させる装置であった。
【先行技術文献】
【０００３】
【特許文献１】  特開２００６−３２１３号公報
【発明の概要】
【発明が解決しようとする課題】
【０００４】  しかし、このような電子回路を持ったスプレー作動装置は構成が複雑でコストが高くなる課題があった。
【課題を解決するための手段】
【０００５】  本発明は、このような電子回路を使わずに、人が室内に出入りする度に、ドアーが開閉する開閉力を使ってスプレーのボタンを作動させる装置である。【０００６】  即ち、ドアーの開閉時にスプレー缶のボタンを、梃子リンク部品を介して押し込んで噴霧させるスプレー作動装置である。【０００７】  また、このスプレー作動装置の取り付けは、ドアーの上縁に引っ掛けるようになっている。【０００８】  本発明の使用対象は、トイレだけでなく、ドアーのある部屋であれば、何処でも適用できる。
【発明の効果】
【０００９】  本発明は、複雑な電子回路は不要で、且つ電力も不要で、装置コストが安価で、ランニングコストのかからないスプレー作動装置が提供できる。【００１０】  また、スプレー作動装置の取り付けはドアーの上縁に引っ掛けるようになっているので、特別な取り付けネジは不要で、極めて簡単に、短時間に取り付けができる特徴がある。
【図面の簡単な説明】
【００１１】
【図１】  本発明の実施形態を示すスプレー作動装置の断面図である。
【図２】  同スプレー作動装置のドアー開時の断面図である。
【発明を実施するための形態】
【００１２】    以下、本発明の実施の形態を図１、図２について説明する。
【００１３】    図１、図２において、１はスプレー缶２を収納し、スプレー作動装置Ａの梃子リンク３を支えている筐体である。４は梃子リンク３の回転支持軸で、筐体１に図のように固定されている。５はスプレー缶２のボタンで押し込むと、スプレー缶２内の液体が噴霧される。
【００１４】  ６は梃子リンク３にネジ貫通した噴霧調整ネジで、ボタン５の上端に図２のように取り付けている。
【００１５】  ７は梃子リンク３にネジ貫通したドアー接触用の調整ネジで図１のように取り付けている。
【００１６】  ８は筐体１の背面に固定して取り付けた逆Ｕ字形の薄板金具で、ドアー９に引っ掛けて固定している。１０はドアー９の開閉側の壁板である。
【００１７】  以下、前記構成の動作を説明する。ドアー９を開けた状態では、図２に示すように、スプレー缶２のボタン５は押されない状態で、上方に位置している。次にドアー９を閉じると、梃子リンク３は図２の矢印のように、壁板１０に押されて、梃子リンク３はスプレー缶２のボタン５を押し下げて、図１のように、スプレー缶２に内蔵したスプレー液を１回噴霧する。
【００１８】  再度、ドアー９を開くと、図２の状態に戻り、ボタン５は押されない状態に復帰する。
【００１９】  これを繰り返すと、ドアー９の開閉毎にスプレー缶中の液体が噴霧される。
【符号の説明】
【００１４】    １      スプレー作動装置の筐体
２      スプレー缶
３      梃子リンク
４      回転軸
５      ボタン
６      調整ネジ
７      調整ネジ
８      薄板金具
【図１】
2018083629.tif 000003
【図２】
2018083629.tif 000004
【手続補正書】
【提出日】平成28年12月1日(2016.12.1)
【手続補正１】
【補正対象書類名】明細書
【補正対象項目名】全文
【補正方法】変更
【補正の内容】
【発明の詳細な説明】
【技術分野】
【０００１】  本発明は、トイレや厨房や病室などの室内における除菌や消臭や芳香を目的とするスプレー作動装置に関するものである。
【背景技術】
【０００２】  トイレや厨房や病室などの室内における除菌や消臭や芳香を目的とするスプレーの作動装置に関する従来例は特開２００６−３２６５１３に示されているように、赤外線センサーを使って、人の出入りを検知して、電子回路によって、除菌、消臭、芳香効果のある液体の入ったスプレーのボタンを作動させる装置であった。
【先行技術文献】
【０００３】
【特許文献１】特開２００６−３２１３号公報
【発明の概要】
【発明が解決しようとする課題】
【０００４】  しかし、このような電子回路を持ったスプレー作動装置は構成が複雑でコストが高くなる課題があった。
【課題を解決するための手段】
【０００５】  本発明は、このような電子回路を使わずに、人が室内に出入りする度に、ドアーが開閉する開閉力を使ってスプレーのボタンを作動させる装置である。【０００６】  即ち、ドアーの開閉時にスプレー缶のボタンを、梃子リンク部品を介して押し込んで噴霧させるスプレー作動装置である。【０００７】  また、このスプレー作動装置の取り付けは、ドアーの上縁に引っ掛けるようになっている。【０００８】  本発明の使用対象は、トイレだけでなく、ドアーのある部屋であれば、何処でも適用できる。
【発明の効果】
【０００９】  本発明は、複雑な電子回路は不要で、且つ電力も不要で、装置コストが安価で、ランニングコストのかからないスプレー作動装置が提供できる。【００１０】  また、スプレー作動装置の取り付けはドアーの上縁に引っ掛けるようになっているので、特別な取り付けネジは不要で、極めて簡単に、短時間に取り付けができる特徴がある。
【図面の簡単な説明】
【００１１】
【図１】  本発明の実施形態を示すスプレー作動装置の断面図である。
【図２】  同スプレー作動装置のドアー開時の断面図である。
【発明を実施するための形態】
【００１２】  以下、本発明の実施の形態を図１、図２について説明する。
【００１３】  図１、図２において、１はスプレー缶２を収納し、スプレー作動装置Ａの梃子リンク３を支えている筐体である。４は梃子リンク３の回転支持軸で、筐体１に図のように固定されている。５はスプレー缶２のボタンで押し込むと、スプレー缶２内の液体が噴霧される。
【００１４】  ６は梃子リンク３にネジ貫通した噴霧調整ネジで、ボタン５の上端に図２のように取り付けている。
【００１５】  ７は梃子リンク３にネジ貫通したドアー接触用の調整ネジで図１のように取り付けている。
【００１６】  ８は筐体１の背面に固定して取り付けた逆Ｕ字形の薄板金具で、ドアー９に引っ掛けて固定している。１０はドアー９の開閉側の壁板である。
【００１７】  以下、前記構成の動作を説明する。ドアー９を開けた状態では、図２に示すように、スプレー缶２のボタン５は押されない状態で、上方に位置している。次にドアー９を閉じると、梃子リンク３は図２の矢印のように、壁板１０に押されて、梃子リンク３はスプレー缶２のボタン５を押し下げて、図１のように、スプレー缶２に内蔵したスプレー液を１回噴霧する。
【００１８】  再度、ドアー９を開くと、図２の状態に戻り、ボタン５は押されない状態に復帰する。
【００１９】  これを繰り返すと、ドアー９の開閉毎にスプレー缶中の液体が噴霧される。
【符号の説明】
【００２０】  １      スプレー作動装置の筐体
２      スプレー缶
３      梃子リンク
４      回転軸
５      ボタン
６      調整ネジ
７      調整ネジ